(57)【特許請求の範囲】
【請求項１】
回転軸を中心に回転可能で、且つ少なくとも前記回転軸側に配置された回転錘体と、前記回転錐体に固定された回転重錘とを有する時計用回転錘であって、
前記回転軸から前記回転錘体の重心へ延在させた直線と、前記回転軸から前記回転重錘の重心へ延在させた直線とが平面視において不一致となっており、
前記回転重錘は、前記回転方向の端部の少なくとも一方を鋭角形状とすることを特徴とする時計用回転錘。
【請求項２】
前記回転錘体が、前記回転軸から前記回転錘体の重心に延在させた直線を境として、平面視において左右非対称な形状であることを特徴とする請求項１に記載の時計用回転錘。
【請求項３】
前記回転重錘が、前記回転軸から前記回転重錘の重心に延在させた直線を境として、平面視において左右非対称な形状であることを特徴とする請求項１に記載の時計用回転錘。
【請求項４】
前記回転錘体は、前記回転錘体の重心位置を調整する第１の重心調整部を有することを特徴とする請求項１乃至請求項２の何れかに記載の時計用回転錘。
【請求項５】
前記第１の重心調整部が、前記回転錘体を貫通する少なくとも１つの貫通孔であることを特徴とする請求項４に記載の時計用回転錘。
【請求項６】
前記第１の重心調整部が、前記回転錘体の表面に設けられた少なくとも１つの凹部であることを特徴とする請求項４に記載の時計用回転錘。
【請求項７】
前記第１の重心調整部が、前記回転錘体の表面に設けられた少なくとも１つの凸部であることを特徴とする請求項４に記載の時計用回転錘。
【請求項８】
前記貫通孔は、前記回転方向に沿った形状に形成されることを特徴とする請求項５に記載の回転錘。
【請求項９】
前記回転重錘は、前記回転重錘の重心位置を調整する第２の重心調整部を有することを特徴とする請求項１乃至請求項３の何れかに記載の時計用回転錘。
【請求項１０】
前記第２の重心調整部が、前記回転重錐を貫通する少なくとも１つの貫通孔であることを特徴とする請求項９に記載の時計用回転錘。
【請求項１１】
前記第２の重心調整部が、前記回転重錐の表面に設けられた少なくとも１つの凹部であることを特徴とする請求項９に記載の時計用回転錘。
【請求項１２】
前記第２の重心調整部が、前記回転重錐の表面に設けられた少なくとも１つの凸部であることを特徴とする請求項９に記載と時計用回転錘。
【請求項１３】
前記回転錘体が、チタン材又はチタン合金材で形成されていることを特徴とする請求項１、２乃至請求項４の何れかに記載の時計用回転錘。
【請求項１４】
請求項１乃至請求項１３の何れかに記載の時計用回転錘と、前記時計用回転錘を前記回転軸を中心に回転させるボールベアリングと、前記時計用回転錘の動きを伝達する伝達機構とを備えた回転錘付時計。
【発明の詳細な説明】
【技術分野】
【０００１】
本発明は、薄肉で構成された腕の動きや時計の姿勢変化により円弧の軌跡を描いて移動する時計用回転錘と、この回転錘を時計フレームの軸線周りに回転させるボールベアリングと、回転錘の動きを伝達する伝達機構とを備えた時計に関するものである。
【背景技術】
【０００２】
時計を装着した腕を動かすことに伴う加速度運動により回転錘を往復回転させ、この回転錘が回転するトルクで香箱車のぜんまいの巻き上げや発電機の回転駆動を行う回転錘付時計において、従来の回転錘は回転中心Ｏから回転錘体の重心Ａを結ぶ直線ＯＡと、回転中心Ｏから回転重錘の重心Ｂを結ぶ直線ＯＢが一致しており、さらに回転錘体の直線ＯＡを中心に平面視において左右対称な形状であった。（特許文献１）。
【先行技術文献】
【特許文献】
【０００３】
【特許文献１】特開２０００−０６５９６２号公報
【発明の概要】
【発明が解決しようとする課題】
【０００４】
時計に多くのエネルギーを蓄積させ、半永久的に連続駆動するためには、腕を動かした際の加速度運動を効率よくぜんまいの巻き上げや発電機の駆動に結びつける必要がある。これらのぜんまい巻き上げや発電機の回転駆動は、回転錘の回転時のトルクによって考えることができる。トルクは、物体に加わる力と、回転中心から物体の重心までの距離の積（外積）で表すことができる。よって、加わる力が等しい場合、回転中心から物体の重心までの距離が長い方が大きなトルクを得られ、高い巻上効率を得ることができる。従って回転錘はそのトルクが大きくなるように回転中心軸線から遠い距離に回転錘の重心が位置するように設計される。
【０００５】
実際にぜんまいなどを巻き上げる際のトルク（実効トルク）は理想的な状態（真空中など）で計算されるトルクから空気抵抗等の抵抗成分を引いた値となる。従って、実効トルクを向上させるためには、理想的な状態におけるトルクを向上させるか、又は空気抵抗を低減させるかの二通りの方法がある。
【０００６】
そこで、本発明は、上述した事情に鑑みてなされたものであって、即ち、回転錘の回転錘体の回転中心Ｏから回転錘体重心Ａに延在させた直線ＯＡと、回転重錘の回転中心Ｏから回転重錘重心Ｂに延在させた直線ＯＢが平面視において不一致であるとすることで回転錘の総合的な重心を直線ＯＡと直線ＯＢが一致した場合よりも回転中心Ｏから遠ざけることが可能であり、例え与えられる力が同じであっても回転錘のトルクを向上させることができ、巻上効率を向上させることができるところにある。
【課題を解決するための手段】
【０００７】
上記の課題を解決するために、本発明に係わる回転錘付時計は、回転中心軸線まわりで回転可能で、且つ、少なくとも回転中心側に配置された肉薄の回転錘体と、肉厚の回転重錘とを有し、これら回転錘体と回転重錘が互いに固定されることにより構成されている時計用回転錘であって、回転中心から回転錘体重心へ延在させた直線Aと、回転中心から回転重錘へ延在させた直線Bが平面視において不一致となっていることを特徴とする。
このような構成とすることにより、総合的な回転錘の重心位置を変更することができ、回転中心からの距離を大きくすることができる。従って、回転錘の回転時におけるトルクが増加し、ぜんまいの巻き上げや発電機の回転駆動の効率を増加させることができる。また、このような構成とすることによりデザインのバリエーションを増大させることができ、外観製や装飾性を向上させることができる。
【０００８】
本発明に係わる時計用回転錘は、回転錘体の形状が回転錘の回転中心から回転錘体重心に延在させた直線を中心として、平面視において左右非対称であることを特徴とする。
このように構成することにより、回転錘体や回転錘全体の重心位置設計における自由度が増し、左右対称である場合よりも回転錘の重心位置を回転中心から遠ざけることが可能になる。従って、結果として回転時のトルクを増加させ、ぜんまいの巻き上げや発電機の駆動効率を向上させることができる。また、このような構成とすることでデザイン性が向上し、外観性や装飾性を向上させることができる。
【０００９】
本発明に係わる時計用回転錘は、回転重錘の形状が前記回転錘の回転中心から前記回転重錘に延在させた直線を中心として、平面視において左右非対称であることを特徴とする。
このような構成とすることにより、回転重錘や回転錘全体の重心位置の設計における自由度が増し、左右対称である場合よりも回転錘の重心位置を回転中心から遠ざけることが可能になる。従って、結果として回転時のトルクを増加させ、ぜんまいの巻き上げや発電機の駆動効率を向上させることができる。また、このような構成とすることで装飾性が高くさらにデザイン上のバリエーションを増大させることができる。
【００１０】
本発明に係わる時計用回転錘は、回転錘体の形状が回転錘体重心位置調整形状を設けたことを特徴とする。
このような構成とすることにより、外形形状だけでなく回転錘体の平面形状全体で重心の位置設計をすることが可能であり、設計における自由度が増し、回転錘の重心位置を回転中心から遠ざけることが可能になる。従って、結果として回転時のトルクを増加させ、ぜんまいの巻き上げや発電機の駆動効率を向上させることができる。また、このような構成とすることでバリエーションが多い回転錘を提供することができ、よりユーザーの要望に応じた商品を提供することが可能になる。
【００１１】
本発明に係わる時計用回転錘は、前記回転錘体重心位置調整形状が貫通された貫通形状であることを特徴とする。
このような構成にすることにより、外形形状だけでなく貫通形状作成により重心位置を設計変更することができ、回転錘の重心位置を回転中心から遠ざけることが可能になる。従って、結果として回転時のトルクを増加させ、ぜんまいの巻き上げや発電機の駆動効率を向上させることができる。また、このような貫通形状によりデザイン性の向上が見込まれ、商品に付加価値を与えることができる。
【００１２】
本発明に係わる時計用回転錘は、前記回転錘体重心位置調整形状が凹部形状であることを特徴とする。
このように構成することにより、外形形状だけでなく凹部の重量減少により重心位置を変更することができ、回転錘の重心位置を回転中心から遠ざけることが可能になる。従って、回転時のトルクを増加させ、ぜんまいの巻き上げや発電機の駆動効率を向上させることができる。また、デザイン性を持たせた上で凹部を作成することもでき、この場合外観性を向上させることができる。
【００１３】
本発明に係わる時計用回転錘は、前記回転錘体重心位置調整形状が凸部形状であることを特徴とする。
このように構成することにより、外形形状だけでなく凸部の重量増加により重心位置を変更することができ、回転錘の重心位置を回転中心から遠ざけることが可能になる。従って、回転時のトルクを増加させ、ぜんまいの巻き上げや発電機の駆動効率を向上させることができる。また、デザイン性を持たせた上で凸部を作成することもでき、この場合外観性を向上させることができる。
【００１４】
本発明に係わる時計用回転錘は、前記回転錘体重心位置調整形状が貫通されたスリット形状であることを特徴とする。
このように構成することにより、外形形状だけでなくスリット形成による重量減少により重心位置を変更することができ、回転錘の重心位置を回転中心から遠ざけることが可能になる。従って、回転時のトルクを増加させ、ぜんまいの巻き上げや発電機の駆動効率を向上させることができる。また、回転錘体にスリットを入れることにより回転錘体のバネ性が増し、衝撃を緩和させ輪列や時計体への振動伝達を防ぎ破損を防止することができる。また、このようなスリット形状によりデザインのバリエーションを増大させることができる。
【００１５】
本発明に係わる時計用回転錘は、前記回転錘体の前記スリットの幅Wの中心線を結んだ線が回転錘の回転方向と一致することを特徴とする。
このように構成することにより、外形形状だけでなくスリット形成による重量減少により重心位置を変更することができ、回転錘の重心位置を回転中心から遠ざけることが可能になる。従って、回転時のトルクを増加させ、ぜんまいの巻き上げや発電機の駆動効率を向上させることができる。また、このような構成とすることにより回転錘への空気抵抗を低減することができ、実効トルクを向上させることができる。更に、回転錘体にスリットを入れることにより回転錘体のバネ性が増し、衝撃を緩和し破損を防止することができる。さらに装飾性も高めることが可能であり、デザイン上のバリエーションを増大させることができる。
【００１６】
本発明に係わる時計用回転錘は、回転中心軸線まわりで回転可能で、且つ少なくとも回転中心側に配置された肉薄の回転錘体と肉厚の回転重錘とを固着した構造より構成されている時計用回転錘であって、回転重錘が回転重錘重心位置調整形状を有していることを特徴とする。
このように構成することにより、二次元外形形状だけでなく回転重錘全体で重心の位置設計をすることが可能であり、設計における自由度が増し、回転錘の重心位置を回転中心から遠ざけることが可能になる。従って、結果として回転時のトルクを増加させ、ぜんまいの巻き上げや発電機の駆動効率を向上させることができる。
【００１７】
本発明に係わる時計用回転錘は、前記回転重錘重心位置調整形状が貫通形状であることを特徴とする。
このように構成することにより、回転重錘の位置を回転中心に対して変化させることができ、回転時のトルクを増大させることができる。
【００１８】
本発明に係わる時計用回転錘は、前記回転重錘重心位置調整形状が凹部形状であることを特徴とする。
このように構成することにより、回転重錘の重量減少により重心位置を変化させることができる。従って回転中心からの距離を遠ざけることができ、回転時のトルクを大きくすることができる。また、回転重錘の回転軸方向まわり（回転重錘の側面）の凹部を作成することにより回転時の空気抵抗を低減させることができるため、更に実効トルクを向上させることができる。
【００１９】
本発明に係わる時計用回転錘は、前記回転重錘重心位置調整形状が凸部形状であることを特徴とする。
このように構成することにより、回転重錘の重量増加により重心位置を変化させることができる。従って回転中心からの距離を遠ざけることにより回転時のトルクを大きくすることができ、巻き上げ効率を向上させることができる。
【００２０】
本発明に係わる時計用回転錘は、回転中心軸線まわりで回転可能で、且つ少なくとも回転中心側に配置された肉薄の回転錘体と肉厚の回転重錘とを固着した構造より構成されている時計用回転錘であって、前記回転重錘の回転方向端部の少なくとも一方を鋭角形状としたことを特徴とする。
このように構成することにより、回転錘の重心位置を遠ざける方向に設計することが可能であり、回転時のトルクを増幅させることができる。従って、ぜんまいの巻き上げなの効率を向上させることができる。また、このような構成とすることによって、回転錘の回転時の空気抵抗を低減させることが可能であり、実効トルクを向上させることができる。さらにデザイン性の向上により、外観性に優れた商品をユーザーに提供することができる。
【００２１】
本発明に係わる時計用回転錘は、回転中心軸線まわりで回転可能で、且つ少なくとも回転中心側に配置された肉薄の回転錘体と肉厚の回転重錘とを固着した構造より構成されている時計用回転錘であって、前記回転錘体がチタン材又はチタン合金材で形成されていることを特徴とする。
チタン材及びチタン合金は軽量且つ強度が高い。軽量という特徴により、回転錘の設計を行う際に回転錘における回転錘体の重量の割合が小さくなるため、重心位置の設計は回転重錘のみで考えればよく、設計が容易になる。また、チタン材やチタン合金は強度が強く、更に他の金属よりも金属疲労が起こり難く、回転や振動など繰り返し力を受ける回転錘体にとっては回転錘体をチタン材で形成することは有効である。また、チタン材やチタン合金は陽極酸化により鮮やかな干渉色を発色させることが可能であり、デザイン性を向上させることができ、美観性に優れた商品を提供することが可能である。
【００２２】
本発明に係わる時計用回転錘を備えた時計は、回転中心軸線まわりで回転可能で、且つ少なくとも回転中心側に配置された肉薄の回転錘体と肉厚の回転重錘とを有し、これら回転錘体と回転重錘が互いに固定されることにより構成されている時計用回転錘であって、請求項１〜請求１６の何れかに記載の回転錘を備えた時計であることを特徴とする。
このように構成することにより、回転錘の回転中心Ｏまわりにおけるトルクが増大するため、香箱車のぜんまいの巻き上げや発電機の回転駆動の効率を向上させた時計をユーザーに提供することができる。
【発明の効果】
【００２３】
本発明によれば、回転錘の重心を回転中心から遠ざけることが可能であり、回転錘の回転時におけるトルクを増大させることができるため、ぜんまいの巻き上げや発電機の回転駆動の効率を向上させることができる。また、スリット形状や凹凸部形成などにより回転時における空気抵抗を低減させることができるため、実効トルクの値を更に向上させることができる。また、このような構成とすることによりデザインのバリエーションを増大させることができるため、外観製や装飾性の高い商品をユーザーに提供することができる。
【図面の簡単な説明】
【００２４】
【図１】本発明の第１実施形態における自動巻機構を取り外した状態でムーブメントを表側からみた平面図である。
【図２】本発明の第１実施形態における自動巻機構の概略構成図である。
【図３】本発明の第１実施形態における回転錘を説明する図である。
【図４】本発明の第１実施形態における回転錘の断面図である。
【図５】本発明の第１実施形態における回転錘体を説明する図である。
【図６】本発明の第２実施形態における回転錘の平面図である。
【図７】本発明の第２実施形態における回転錘を説明する図である。
【図８】本発明の第３実施形態における回転錘の平面図である。
【発明を実施するための形態】
【００２５】
（自動巻腕時計）
次に、この発明の第１実施形態を図１〜図５に基づいて説明する。実施形態は、非限定的な例証として各図面において与えられる。
図１は、自動巻機構を取り外した状態でムーブメントを表側からみた平面図、図２は、自動巻機構の概略構成図である。
【００２６】
図１、図２に示すように、本発明に係る部品（例えば、後述の回転錘１６０）が組み込まれた自動巻腕時計１０は、ムーブメント１００と、このムーブメント１００を収納する不図示のケーシングとにより構成され、ムーブメント１００に不図示の文字板が取り付けられている。ムーブメント１００は、基板を構成する地板１０２と、一番受１０５と、二番受１０６と、てんぷ受１０８と、アンクル受１０９とを備えている。二番受１０６は、一番受１０５と地板１０２との間に配置される。地板１０２には巻真案内孔１０３が形成されており、ここに巻真１１０が回転可能に組み込まれている。ここで、地板１０２の両側のうち、文字板が配置される側（図１、図２における紙面奥側）をムーブメント１００の裏側と称し、文字板が配置される側とは反対側（図１、図２における紙面手前側）をムーブメント１００の表側と称する。ムーブメント１００の裏側には、裏輪列と称する輪列や、おしどり１４０、かんぬき１４２、およびおしどり押さえ１４４を含む切換装置が配置されている。この切換装置により、巻真１１０の軸方向の位置が決定するようになっている。
【００２７】
一方、ムーブメント１００の表側には、表輪列と称する輪列、表輪列の回転を制御するための脱進・調速装置４０、および自動巻機構６０等が組み込まれている。
【００２８】
表輪列は、香箱車１２０、二番車１２４、三番車１２６、四番車１２８により構成されている。香箱車１２０は、一番受１０５と地板１０２とにより回転可能に支持されており、不図示のぜんまいを有している。そして、巻真１０４を回転させると不図示のつづみ車が回転し、さらにきち車、丸穴車（何れも不図示）、および角穴車１１８を介してぜんまいが巻き上げられる。さらに、角穴車１１８の歯部には、板状のこはぜ１１７が噛合されており、これにより、角穴車１１８の回転が規制されるようになっている。
【００２９】
一方、ぜんまいが巻き戻される際の回転力により香箱車１２０が回転し、さらに二番車１２４が回転するように構成されている。二番車１２４は、二番受１０６と地板１０２とにより回転可能に支持されている。二番車１２４が回転すると、三番車１２６が回転する。  三番車１２６は、一番受１０５と地板１０２とにより回転可能に支持されている。三番車１２６が回転すると、四番車１２８が回転する。四番車１２８は、一番受１０５と二番受１０６とにより回転可能に支持されている。四番車１２８が回転することにより脱進・調速装置４０が駆動する。
【００３０】
（脱進・調速装置）
脱進・調速装置４０は、てんぷ１３６と、がんぎ車１３４と、アンクル１３８とを備えている。アンクル１３８は、アンクル受１０９と地板１０２とにより回転可能に支持されている。てんぷ１３６は、てんぷ受１０８と地板１０２とにより回転可能に支持されている。てんぷ１３６は、てん真１３６ａと、てん輪１３６ｂと、ひげぜんまい１３６ｃとを有している。  このような構成のもと、脱進・調速装置４０は、二番車１２４が１時間に１回転するように制御する。二番車１２４の回転に基づいて不図示の筒かなが同時に回転するように構成されており、この筒かなに取り付けられた不図示の分針が「分」を表示するようになっている。
【００３１】
また、筒かなには、二番車１２４に対するスリップ機構が設けられている。筒かなの回転に基づいて、日の裏車の回転を介し、筒車（何れも不図示）が１２時間に１回転するように構成されている。そして、筒車に取付けられた不図示の時針が「時」を表示するようになっている。
【００３２】
さらに、二番車１２４の回転により、三番車１２６の回転を介し、四番車１２８が１分間に１回転するように構成されている。四番車１２８には、不図示の秒針が取り付けられている。
【００３３】
（自動巻機構）
自動巻機構６０は、この自動巻機構６０を構成する回転錘１６０をユーザーの腕の動きで動かし、香箱車１２０の不図示のぜんまいを巻き上げるものである。回転錘１６０は、ボールベアリング１６２と、回転錘体１６４と、回転重錘１６６とを有している。ボールベアリング１６２は、内輪と、外輪と、これら外輪と内輪との間に設けられた複数のボール（何れも不図示）とを有しており、内輪がボールベアリング止めねじ１６８を介して一番受１０５に固定されている。
【００３４】
（回転錘体、および回転重錘）
次に、図３〜図５を用いて回転錘について説明する。
図３（ａ）は回転錘１６０の平面図であり、図３（ｂ）は本発明による回転錘１６０と従来の回転錘の一例の平面図、図４は図３（ａ）のｘ-ｘ'の位置における回転錘１６０の断面図、図５（ａ）は本発明による回転錘体１６４の平面視、図５（ｂ）は本発明による回転重錘１６６の平面視である。
【００３５】
回転錘１６０は、回転中心側に配置された肉薄の回転錘体１６４と、この回転錘体１６４の外周側に配置された回転重錘１６６により構成され、回転錘体１６４の回転中心Ｏには、ボールベアリング１６２が配置され、ボールベアリング１６２の外輪と回転錘体１６４とが固定されている。回転錘体１６４は０．２ｍｍ〜１．０ｍｍ程度の薄板例えば真鍮や洋白などの金属板で構成され、回転重錘１６６はその外周縁部分がムーブメント側に突出して肉厚とされ、回転錘体１６４の外周縁に回転重錘１６６がピン６１を介して固定されている。この回転重錘１６６は比較的大きな比重を有する材料例えば重金属粉末を主成分とするコンパウンド、例えばタングステン（Ｗ）やニッケル（Ｎｉ）や銅（Ｃｕ）を含有させた粉末を成形・焼成することにより形成されたものである。
【００３６】
回転重錘１６６は、回転錘体１６４の外周縁に対応するように湾曲形成されており、図４に示すように回転錘体１６４を載置可能な座面６３ａと、座面６３ａの外周部に立ち上がり形成され、回転錘体１６４の外周縁を覆う６３ｂとを有している。座面６３ａには、ピン６１を挿通可能な挿通孔１６６ａが複数（この第１実施形態では３つ）形成されている。一方、回転錘体１６４の外周部４６には、回転重錘１６６の挿通孔１６６ａに対応する箇所に、ピン６１を挿通可能な挿通孔１６４ａが形成されている。なお、回転重錘は回転錘体の外周縁全てに対応していなくてもよい。
【００３７】
このような構成のもと、回転重錘１６６の座面６３ａに回転錘体１６４の外周部を載置し、各挿通孔１６４ａ，１６６ａにピン６１を挿入した後、ピン６１の先端を座屈変形させることにより、回転錘体１６４と回転重錘１６６とが一体化される。
【００３８】
ここで、本発明における回転錘１６０を、図３〜図５を用いて詳細に説明する。図３（ａ）に示すように、回転錘体１６４の回転中心Ｏから回転錘体１６４の重心Ａを結んだ直線ＯＡと、同様に回転重錘１６６の回転中心Ｏから回転重錘１６６の重心Ｂを結んだ直線ＯＢは、平面視において一致しないような形状及び構造で構成されている。このとき、直線ＯＡおよび直線ＯＢを一致させない構成として、２種類が考えられる。一つ目は図５（a）に示してあるように、回転錘体１６４が回転中心Ｏと重心Ａを結んだ直線ＯＡを重心Ａ側に延在させた直線ＯＡ'を中心線として平面視左右非対称形状とし、さらに回転重錘１６６の直線ＯＢと直線ＯＡを一致させない構成とする場合である。二つ目は、図５（ｂ）に示してあるように、回転重錘１６６が回転中心Ｏから回転重錘１６６の重心Ｂを結んだ直線ＯＢをＢ側に延在させた直線ＯＢ'を中心線として平面視左右非対称な形状とし、回転錘体１６４の直線ＯＡと直線ＯＢが一致しないように構成した場合である。尚、図５（ａ）と図５（ｂ）を組み合わせて構成してもよい。
【００３９】
また、図３（ｂ）に本発明による回転錘体１６４と、一例として従来使用されている直線ＯＡ、直線ＯＢが一致した構成の回転錘体１６４b（破線で表示）を示した。本発明による回転錘体１６４の重心位置はＧ１、従来の形状の回転錘体１６４ｂの重心位置はＧ２であり、回転中心Ｏから重心Ｇ１の距離Ｒ１が、回転中心Ｏから重心Ｇ２の距離Ｒ２よりも大きくなる。このように、本発明による回転錘においては従来の回転錘よりも重心Ｇ１が回転中心Ｏよりも離れるような形状及び構成である。
【００４０】
従ってこのように構成することにより、回転錘体１６４や回転錘１６０の重心位置設計における自由度が増し、平面視左右対称である場合よりも回転錘の重心位置を回転中心から遠ざけることが可能になる。従って、結果として回転時のトルクを増加させ、ぜんまいの巻き上げや発電機の駆動効率を向上させることができる。また、このような構成とすることでデザインのバリエーションを増大することができ、外観性や装飾性を向上させることができる。
【００４１】
図２に戻り、ボールベアリング１６２の外輪には、回転錘かな１７８が設けられている。この回転錘かな１７８は、一番伝え車１８２の一番伝え歯車１８２ａに噛合わされる。一番伝え歯車１８２ａは、一番受１０５と地板１０２とにより回転可能に支持されている。さらに、一番伝え車１８２と一番受１０５との間には、つめレバー１８０が組み込まれている。つめレバー１８０は、一番伝え車１８２の軸心から偏心した形で取り付けられたものであって、引きつめ１８０ａ、および押しつめ１８０ｂを有している。これら引きつめ１８０ａ、および押しつめ１８０ｂは、二番伝え車１８４の二番伝え歯車１８４ａに噛合わされる。
【００４２】
二番伝え車１８４は、二番伝え歯車１８４ａの他に二番伝えかな１８４ｂを有している。二番伝え歯車１８４ａは、回転錘体１６４と一番受１０５との間に位置している。一方、二番伝えかな１８４ｂは、角穴車１１８と噛み合うようになっている。
そして、二番伝え歯車１８４ａに噛合うつめレバー１８０の引きつめ１８０ａ、および押しつめ１８０ｂは、二番伝え歯車１８４ａの中心に向かって弾性力により付勢されている。
【００４３】
このような構成のもと、回転錘１６０が回転すると、回転錘かな１７８も同時に回転し、回転錘かな１７８の回転により、一番伝え車１８２が回転する。この一番伝え車１８２の軸心から偏心した形で取り付けられているつめレバー１８０は、一番伝え車１８２の回転により往復運動を行う。そして、引きつめ１８０ａ、および押しつめ１８０ｂにより二番伝え車１８４を一定の方向に回転させる。すると、二番伝え車１８４の回転により角穴車１１８が回転し、香箱車１２０の不図示のぜんまいを巻き上げる。
【００４４】
本実施例においては機械式時計について説明を行ったが、時計は機械式であるのに限定されず、例えばクオーツ式でもよい。また、回転錘は、互いに構成材料の異なる２つの部材で構成されているのに限定されず、例えばこれらの２つの部材を一体で形成してもよい。また、回転錘体は真鍮や洋白で構成されているとしたが、チタン材やチタン合金又はＳＵＳなどで形成されていてもよい。また、回転錘体と回転重錘を固定する際、ピン６１を使用した例を説明したが、ピンではなくビスやネジ、ボルトであってもよいし、回転重錘のカシメなどにより固定してもよい。また、時計の好ましい形態としては腕時計であるのに限定されず、例えば懐中時計であってもよい。また、回転錘としては、時計方向および反時計方向のいずれか一方向にのみ回転巻き上げ可能となったもの、および、時計方向および反時計方向の両方向に回転巻き上げ可能となったもののいずれもが採用できる。
【００４５】
従って、上述の第１実施形態によれば、回転錘１６０は、回転中心Ｏからそれぞれ回転錘体１６４の重心Ａ、回転重錘１６６の重心Ｂまで引いた直線ＯＡ，直線ＯＢが平面視において不一致となる構成である。このように構成することにより、設計における自由度が増し、平面視において直線ＯＡおよび直線ＯＢが一致する形状及び構成の回転錘と比較して回転錘の重心位置を変更することが可能であり、回転中心から重心までの距離を遠くすることができる。従って、回転錘１６０の回転時のトルクを増加させ、ぜんまいの巻き上げや発電機の駆動効率を向上させることができる。また、直線ＯＡおよび直線ＯＢが平面視において一致しない構成とすることで、機能とともにデザイン性を向上させることができる。また、回転錘体がチタン材であった場合、陽極酸化により干渉色を発色させることが可能であるため、より一層外観性や装飾性を向上させることができる。
【００４６】
（第２実施形態）
次に、この発明の第２実施形態を図１、図２を援用し、図６に基づいて説明する。なお、第１実施形態と同一態様には、同一符号を付して説明する（以下の実施形態についても同様）。
図６は、この第２実施形態における回転錘１６０の平面図である。
【００４７】
この第２実施形態において、自動巻腕時計１０は、ムーブメント１００を有し、ムーブメント１００の表側に、表輪列と称する輪列、表輪列の回転を制御するための脱進・調速装置４０、および自動巻機構６０等が組み込まれている点、自動巻機構６０の回転錘２６０は、ボールベアリング１６２と、回転錘体１６４と、回転重錘１６６とを有し、これら回転錘体１６４、および回転重錘１６６がビス６１を介して固定されている点、回転錘体１６４の回転中心Ｏと回転錘体１６４の重心Ａによる直線ＯＡ、および回転重錘１６６の重心Ｂによる直線ＯＢが平面視において一致しない構成であるなどの基本的構成は、前述した第１実施形態と同様である（脱進・調速装置以下の実施形態についても同様）。
【００４８】
ここで、図６に示すように、第２実施形態と前述の第１実施形態との相違点は、回転錘体１６４にスリット１６５が形成されている点である。このスリット１６５は回転錘体１６４を貫通していてもよいし、凹み、貫通穴、および凸形状であってもよい。なお、本実施例ではスリット１６５の数は１つであるが、これに限ったことではなく、スリット１６５の数を増やしてもよい。
【００４９】
したがって、上述の第２実施形態によれば、前述の第１実施形態と同様の効果に加え、スリット１６５または凹凸部、貫通穴が形成されている場合、回転錘体１６４の外形形状だけでなくスリット形成による重量増減により重心位置を変更することができ、より重心位置設計の自由度が増し、回転駆動効率を向上させることができる。また、スリットにおいては、スリット１６５のスリット幅１６５ａの中心線１６５ｂが回転錘１６４の回転方向と一致させた場合、空気抵抗を低減させることができ、更に回転駆動効率を高めることができる。また、回転錘体１６４に貫通したスリット１６５を形成することにより振動や衝撃に対するバネ性が増し、歯車や輪列など時計体への衝撃の伝達を阻止することができる。また、このようなスリット形状によりデザインのバリエーションを増大させることができる。
【００５０】
（第３実施形態）
次に、この発明の第３実施形態を図７（ａ）、図７（ｂ）に基づいて説明する。
図７（ａ）及び図７（ｂ）は、回転錘１６０の変形例の平面図である。
図７（ａ）及び図７（ｂ）に示すように、第１実施形態と前述の第２実施形態との相違点は、回転重錘１６６に凹部１６６ｂ又は凸部１６６ｃが形成されていることである。図７（ａ）が凹部１６６ｂを形成した例、図７（ｂ）が凸部１６６ｃを形成した例を示している。なお、本実施例においては回転重錘１６６の側面に凹部１６６ｂ、凸部１６６ｃを設けているが、これに限ったことではなく、回転重錘の上面または下面に凹部１６６ｂ又は凸部１６６ｃを形成してもよい。
【００５１】
従って、このような構成とすることにより、前述の第１実施形態〜第２実施形態と同様の効果に加え、二次元外形形状だけでなく回転錘体の形状全体で重心の位置設計をすることが可能であり、設計における自由度が増し、回転錘の重心位置を回転中心から遠ざけることが可能になる。従って、結果として回転錘１６０の回転時のトルクを増加させ、ぜんまいの巻き上げや発電機の駆動効率を向上させることができる。さらに、回転重錘１６６の回転軸方向まわり（回転重錘の側面）の凹部１６６ｂおよび凸部１６６ｃを形成することにより、回転錘１６０の回転時の空気抵抗を低減させることができるため、更に実効トルクを向上させることができる。また、凹部１６６ｂおよび凸部１６６ｃを形成した構成とすることで、デザイン性を向上させることができ、形状バリエーションが多い回転錘１６０を提供することができる。従って、より一層ユーザーの要望に応じた商品を提供することが可能になる。
【００５２】
（第４実施形態）
次に、この発明の第４実施形態を図８に基づいて説明する。
図８は、この第４実施形態における回転錘の平面図である。
同図に示すように、第４実施形態と前述の第１〜第３実施形態との相違点は、第１〜第３実施形態の回転重錘１６６の回転方向端部は回転方向において平面となっているのに対し、第４実施形態の回転重錘１６６の回転方向端部１６６ｄは鋭角な形状となっている点にある。なお、本実施例においては回転重錘の片側のみが鋭角となっているが、両側の端部が鋭角であっても同様の効果が得られる。
【００５３】
このように構成することにより、前述の第１〜３実施形態と同様の効果に加え、回転錘の回転時の空気抵抗を低減させることが可能であり、実効トルクを向上させることができる。さらにデザイン性の向上により、外観性に優れた商品をユーザーに提供することができる。なお、本発明は上述の実施形態に限られるものではなく、本発明の趣旨を逸脱しない範囲において、上述の実施形態に種々の変更を加えたものを含む。
【産業上の利用可能性】
【００５４】
本発明は、時計の回転錘および回転錘を備えた時計に関するものである。
【符号の説明】
【００５５】
１０  自動巻時計（時計）
６１  ピン（固定部材）
１６０  回転錘（部品）
１６４  回転錘体
１６６  回転重錘
【図１】
0005731872.tif 000002
【図２】
0005731872.tif 000003
【図３】
0005731872.tif 000004
【図４】
0005731872.tif 000005
【図５】
0005731872.tif 000006
【図６】
0005731872.tif 000007
【図７】
0005731872.tif 000008
【図８】
0005731872.tif 000009